(57)【要約】【目的】本発明は、設定された内容を撮影者が理解しやすい形で音声によって告知し、快適な操作性で撮影を行うことが可能なカメラを提供することを目的とする。【構成】本発明にかかる音声合成装置を有するカメラは、複数の設定項目について設定された内容を記憶する記憶回路（６０２）を有し、操作部材（２）の操作に基づいて、記憶回路（６０２）に記憶される内容を読み出して、音声合成装置（６０３）で音声信号を生成し、発音装置（３）から音声を発声して、設定された内容について撮影者に告知する。【選択図】    図１
2005031317.tif 000002
【特許請求の範囲】
【請求項１】
撮影に関する複数の設定項目の各々について、設定内容を決定する選択決定部材と、該選択決定部材によって設定された前記複数の各々の設定項目についての前記設定内容を記憶する記憶回路と、前記設定内容を確認する際に操作する操作部材とを有するカメラにおいて、音声を発音する発音回路を有し、前記操作部材の操作に基づいて、前記記憶回路に記憶される前記複数の各々の設定項目の設定内容を、前記発音回路を用いて音声告知させる制御回路を有することを特徴とするカメラ。
【請求項２】
前記操作部材は、前記撮影を指示する撮影指示部材であることを特徴とする請求項１に記載のカメラ。
【請求項３】
前記記憶回路は、前記操作部材の操作に基づいてなされる音声告知において、該音声によって告知のなされない設定内容について選択可能に記憶することを特徴とする請求項１に記載のカメラ。
【請求項４】
前記選択決定部材と前記操作部材と前記音声を発音させる発音装置とを具備する遠隔制御装置を有することを特徴とする請求項１に記載のカメラ。
【発明の詳細な説明】
【０００１】
【技術分野】
本発明は、音声信号を生成する音声合成装置を有するカメラに関するものである。
【０００２】
【背景技術】
従来、カメラの撮影に際して設定選択された機能などの情報は、カメラ本体に設けられた表示器によって操作者に告知されていた。
【０００３】
しかしながら、これらの情報は、表示器の大きさに制限されて、記号化されて表示されることが多く、特にカメラの扱いに不慣れな操作者にとっては、わかりにくいものであった。
【０００４】
この問題を解決するために、設定されたカメラの機能に関する情報を音声で撮影者に告知するカメラが知られている。
【０００５】
例えば下記特許文献１に開示されるカメラは、カメラの機能に関する音声信号を生成する音声合成装置と、音声合成装置で生成された音声信号によってカメラの機能及び撮影シーンに関する情報を撮影者に告知する発音体とを有し、カメラの動作モードの設定を行う操作スイッチの操作の度に、設定された動作モードを音声によって撮影者に告知する。
【０００６】
【特許文献１】
特開２０００−１０１７４号公報
【０００７】
【発明の開示】
【０００８】
【発明が解決しようとする課題】
しかしながら、上記特許文献１に開示されるようなカメラの場合には、動作モードが設定された時に、設定された動作モードのみについて、音声によって告知される構成とされているために、特に、多項目にわたる設定を行った後に撮影を行うに際して、設定した内容について忘れてしまう可能性がある。
【０００９】
既に設定した項目の設定内容を確認するためには、再度設定を行って設定した内容について確認しなければならない、という問題点があった。
【００１０】
本発明は、上記問題点に鑑みてなされたもので、設定された内容を撮影者が理解しやすい形で音声によって告知し、もって快適な操作性で撮影を行うことが可能なカメラを提供することを目的とする。
【００１１】
【課題を解決するための手段】
上記問題点を解決するために、請求項１に記載のカメラは、撮影に関する複数の設定項目の各々について、設定内容を決定する選択決定部材と、選択決定部材によって設定された複数の各々の設定項目についての設定内容を記憶する記憶回路と、設定内容を確認する際に操作する操作部材とを有するカメラにおいて、音声を発音する発音回路を有し、操作部材の操作に基づいて、記憶回路に記憶される複数の各々の設定項目の設定内容を、発音回路を用いて音声告知させる制御回路を有することを特徴とする。
【００１２】
また、請求項２に記載のカメラは、請求項１に記載のカメラで、設定内容を確認する際に操作される操作部材が、撮影を指示する撮影指示部材であることを特徴とする。
【００１３】
また、請求項３に記載のカメラは、請求項１に記載のカメラで、操作部材の操作に基づいてなされる音声告知において、記憶回路が、音声によって告知のなされない設定内容について選択可能に記憶することを特徴とする。
【００１４】
さらに、請求項４に記載のカメラは、請求項１に記載のカメラで、前記選択決定部材と前記操作部材と前記音声を発音させる発音装置とを具備する遠隔制御装置を有することを特徴とする。
【００１５】
【発明の効果】
本発明によれば、設定された内容の全てを、撮影者が理解しやすいように、一度に音声で告知する構成としたので、撮影に際して、既に設定した内容について再度確認することができ、快適に撮影を行うことができる。
【００１６】
【発明を実施するための最良の形態】
以下、本発明の実施の形態について、図１に示される多点測距可能な自動合焦カメラを例にとって説明する。
【００１７】
図１は、本発明の実施形態による多点測距可能な自動合焦カメラの背面斜視図である。
【００１８】
本発明による自動合焦カメラは、例えばカメラ本体１と、撮影のために用いられる着脱可能なレンズ１２と、カメラ本体１を遠隔から制御する際に用いられるリモートコントロール装置１０００とから構成される。
【００１９】
カメラ本体１には、カメラ本体１の背面から見て右側に形成されたグリップ部上部に配置されるレリーズ釦２と、撮影に関する各種の設定を行う情報設定ダイアル８と、カメラ本体１の上部に配置され撮影される被写体像を確認するファインダ接眼窓６と、ファインダ接眼窓６と情報設定ダイアル８との間に配置され、各種設定情報等を外部から視認可能なかたちで表示する外部表示器９と、カメラ本体１の上部でファインダ接眼窓６の左側に配置される電源スイッチ８０と、ファインダ接眼窓６の上部に配置されるマイク８３と、リモートコントロール装置１０００との間で例えば赤外線により信号の授受をする際に用いられ、マイク８３に隣接して配置される受発光素子１００１とが備えられている。外部表示器９は、例えば液晶表示素子で構成される。
【００２０】
カメラ本体１とレンズ１２に内蔵される各電気回路の電源は、グリップ部内部にカメラ本体１の下方から挿入される電池２００（図６参照）によって供給される。
【００２１】
本発明による実施形態においては、さらに裏蓋１１上に、動作モード等を選択する際に操作される領域選択スイッチ３８，３９，４０，４１と、領域選択スイッチ３８，３９，４０，４１、または情報設定ダイアル８の操作によって選択された動作モード等を音声によって撮影者に告知する際に用いられる発音装置としてのスピーカ３とが設けられている。発音装置としては、スピーカ３にかえて、イヤホン、ヘッドホンなどの他の発音装置を用いてもよい。
【００２２】
レンズ１２を介して入射される被写体像は、光電変換素子１０１（図２参照）によって電気信号に変換され、所定の信号処理が施された後、記憶媒体挿脱用開口部８１よりカメラ本体１に挿入された記憶媒体８２に記憶される。
【００２３】
本実施形態においては、集音装置としてのマイク８３の出力する音声信号も、同様に記憶媒体８２に記憶可能な構成とされている。
【００２４】
一方、リモートコントロール装置１０００には、上述のレリーズ釦２と同等の機能を有する操作部材１００２と、上述の情報設定ダイアル８と同等の機能を有する操作部材１００３と、上述の外部表示器９と同等の機能を有する表示器１００４と、上述のスピーカ３と同等の機能を有するスピーカ１００５と、カメラ本体１に設けられた受発光素子１００１との間で、例えば赤外線による通信を行う際に用いられる受発光素子１００６とが設けられている。
【００２５】
リモートコントロール装置１０００は、カメラ本体１を遠隔から制御する際に用いられ、操作者は、例えば表示器１００４を確認しながら操作部材１００３を操作して、受発光素子１００６を介して、カメラ本体１に設けられた受発光素子１００１との間で例えば赤外線通信を行い、カメラ本体１にリモートコントロール装置１０００による設定の内容を伝送する。操作部材１００３によって設定された内容は、後述の受発光素子１００１の動作が許可されている状態で、スピーカ１００５によって操作者に音声告知される。
【００２６】
図２は、図１で示される自動合焦カメラの撮影待機状態における側面断面図である。
【００２７】
カメラ本体１の内部には、メインミラー１３、サブミラー１４、焦点検出装置１５、スクリーン１６、ペンタプリズム１７、プリズム１８、接眼レンズ５、測光装置１９、レンズ駆動装置２０、絞り制御装置２５０，シャッタ１０２、光電変換素子１０１、及びカメラの動作を制御するＭＰＵ６０１を含む電気回路１００が設けられている。
【００２８】
光電変換素子１０１としては、例えばＣＣＤ、撮像管が用いられる。
【００２９】
一方、レンズ１２には、レンズ群１０と、合焦動作の際にレンズ群１０を駆動する駆動装置２２と、駆動装置２２にレンズ駆動装置２０の動力を伝達する動力伝達装置２４、絞り制御装置２５０によって駆動され光電変換素子１０１への入射光量を制限する絞り機構２５１とが設けられている。
【００３０】
メインミラー１３は、レンズ１２を構成するレンズ群１０を介して入射された被写体像を、光電変換素子１０１の撮像面と共役な位置に配置されたスクリーン１６の方向に反射させる。
【００３１】
スクリーン１６上に結像された被写体像は、ペンタプリズム１７、接眼レンズ５及びファインダ接眼窓６を介して、撮影者によって視認される。
【００３２】
スクリーン１６上に結像された被写体像を構成する光束は、プリズム１８を介して測光装置１９に入射される。
【００３３】
本実施形態における測光装置１９は、スクリーン１６の結像画面を例えば５つの領域に分割して各領域毎の輝度値を測定し、測定によって得られた各領域の輝度値をもとに予め設定してあるパターンにあわせて最適な露出を決定する所謂マルチパターン測光方式による測光を行う。上記測光によって得られた測光値は、電気回路１００に出力される。
【００３４】
電気回路１００は、測光装置１９から出力された電気信号をもとに、後述する方法により設定された撮影モードに応じて、絞り機構２５１、シャッタ１０２、光電変換素子１０１等を制御する。
【００３５】
ここで、メインミラー１３は、部分的にハーフミラーで構成されており、レンズ１２を構成するレンズ群１０を介して入射される入射光の一部は、メインミラー１３を透過し、サブミラー１４によって反射され、焦点検出装置１５に導かれる。
【００３６】
図３は、焦点検出装置１５の一部を構成する焦点検出光学系を説明する説明図である。
【００３７】
ここでは、焦点検出方式として、例えば２次結像位相差方式を例にとって説明するが、本発明は特にこれには限定されず、例えば、撮像素子で撮像した被写体像の高周波成分より撮影レンズの焦点状態を検出する所謂山登り法を用いるもの、あるいは別の焦点検出方式、またはそれらの組み合わせを用いるものであってもよい。
【００３８】
一般に、２次結像位相差方式の焦点検出装置においては、撮影レンズの異なる領域を通過した光束を一対の２次結像レンズによって、対応する一対のセンサ上に再結像させて、その出力により撮影レンズの焦点状態を検出する。
【００３９】
図３に示すように、焦点検出光学系は、焦点検出面に設置されたフィールドレンズ３００、一対の再結像レンズ３１０ａ、３１０ｂ、及び一対のイメージセンサ１４０ａ，１４０ｂからなり、一組の再結像光学系により構成されている。
【００４０】
前記焦点検出面に形成された被写体像は、一対のイメージセンサ１４０ａ、１４０ｂ上に再結像される。
【００４１】
このような構成において、イメージセンサ１４０ａが受光する光束は、再結像レンズの開口がフィールドレンズ３００により撮影光学系の射出瞳３２０上に撮影される領域３３０を通過する光束となる。同様に、イメージセンサ１４０ｂが受光する光束は、射出瞳３２０上の領域３４０を通過する光束となる。
【００４２】
焦点検出光学系において、レンズ１２を含む撮影光学系により形成される被写体像面が、焦点検出面と一致している場合には、一対のイメージセンサ１４０ａ，１４０ｂ上に光学系配置により決まる所定の位置関係で２つの被写体像が再結像される。
【００４３】
一方、被写体像面が焦点検出面より光軸方向に偏位している場合には、一対のイメージセンサ１４０ａ，１４０ｂ上に形成される一対の被写体像が、前記所定の位置関係からイメージセンサ１４０ａ，１４０ｂ上で横方向に偏位する。
【００４４】
このように、一対のイメージセンサ１４０ａ，１４０ｂの出力より一対の被写体像の位置関係を求め、その位置関係と前記所定の位置関係を比較することにより、被写体像面の焦点検出面からの偏位方向および偏位量を検出することができる。
【００４５】
本実施形態においては、撮影レンズの焦点状態の検出を撮影画面内の複数の領域で可能とするために、図３に示される光学系が複数設けられた構成とされている。
【００４６】
図４は、焦点検出装置１５の構成例を示す説明図である。
【００４７】
焦点検出装置１５は、例えば図５に示されるように、撮影画面２５内の上部２６ａ、下部２６ｃ、左部２６ｄ、右部２６ｂ、中央部２６ｅの２次元的に配置された５つの領域で焦点検出が可能である。
【００４８】
撮影レンズ１２を透過した光束は、メインミラー１３、サブミラー１４、視野マスクＳＭ、フィールドレンズＬ０、反射ミラーＭ３、及び絞りマスクＡＭを経て、２次結像レンズＬ２を介して、イメージセンサ２７に入射される。イメージセンサ２７は、例えばＣＣＤで構成される。
【００４９】
なお、図４においては、簡単のため、撮影レンズ１２を１枚のレンズとして簡易的に示している。
【００５０】
視野マスクＳＭは、図５で示される各領域部分を開口とし、それ以外の領域を遮光する構成とされている。
【００５１】
ここで、視野マスクＳＭに近接して配置されるフィールドレンズＬ０は、撮影レンズ１２を透過した光のうち、撮影画面内の上部領域の光束を透過させるＬ０４、撮影画面内の下部領域の光束を透過させるＬ０５、撮影画面内の右部領域の光束を透過させるＬ０３、撮影画面内の左部領域の光束を透過させるＬ０２、撮影画面内の中央部領域の光束を透過させるＬ０１の各レンズ部を接合して構成される。
【００５２】
電気回路１００に含まれるＭＰＵ６０１（図６参照）は、イメージセンサ２７より、上記各領域に相当する信号を読み出し、前記所定の位置関係と比較することによって、上記各領域の焦点状態を検出する。
【００５３】
ＭＰＵ６０１は、撮影者によって選択された焦点検出領域に相当するイメージセンサ２７から読み出された信号をもとに、選択された焦点検出領域の焦点状態を判断し、レンズ駆動装置２０に対して、レンズ１２を合焦状態へと移行させるように駆動信号を出力する。
【００５４】
レンズ駆動装置２０の動力は、動力伝達装置２４を介して、撮影レンズ１２内の駆動装置２２に伝達され、レンズ群１０が合焦状態となるように駆動される。
【００５５】
図６は、カメラ本体１とレンズ１２とリモートコントロール装置１０００とからなるカメラのシステムを制御する制御系を示すブロックダイアグラムである。
【００５６】
図６に示される電気回路は、内蔵される不図示の電池によって駆動されるリモートコントロール装置１０００を除いて、全て電池２００によって駆動される。
【００５７】
８０は、電池２００から電気回路への電源の供給をオン／オフする際に操作される電源スイッチである。
【００５８】
図６における制御回路４２は、不図示の記憶部に格納されたソフトウェアに基づいて動作するＭＰＵ６０１を含んで構成される。
【００５９】
制御回路４２は、図２に示される測光装置１９を構成する測光素子２８、図４に示される焦点検出装置１５の一部を構成するイメージセンサ２７、外部表示器９を駆動するために用いられる表示駆動回路２９、シャッタ１０２を駆動するために用いられるシャッタ駆動回路２０１、絞り機構２５１を駆動するために用いられる絞り制御回路２５０，メインミラー１３とサブミラー１４とを駆動するために用いられるミラー駆動回路２０２、リモートコントロール装置１０００との間で赤外線による信号の授受を行う際に用いられる受発光素子１００１、情報設定ダイアル８の情報設定に伴う回転・押圧動作に連動してパルスを発生するパルス発生回路３１、動力伝達装置２４を介して駆動装置２２によってレンズ群１０を構成する各レンズを駆動する際に用いられるレンズ駆動装置２０、領域選択スイッチ３８，３９，４０，４１の各々の操作に応じてパルス信号を発声するスイッチパルス発声回路３４，３５，３６，３７、撮影の際に操作されるレリーズ釦２に接続される。
【００６０】
ここで、レリーズ釦２は、制御回路４２で、後述する半押し状態と全押し状態とを判別できるように、半押し状態と全押し状態と非操作状態とで異なる信号を出力可能な構造とされている。
【００６１】
また、情報設定ダイアル８は、カメラの動作モード等の設定項目の選択のための回転動作と、選択された項目を決定するための上方からの押圧動作が可能な構造とされており、パルス発声回路３１は、回転動作と押圧動作とで異なるパルス信号を出力する構成とされている。
【００６２】
レンズ１２を介して光電変換素子１０１の撮像面に結像された被写体像は、光電変換素子１０１で電気信号に変換され、信号処理回路２０３で、γ処理、ホワイトバランス処理等の所定の信号処理が施されるとともに、情報設定ダイアル８，または領域選択スイッチ３８，３９，４０，４１の操作によって設定された信号処理のモードに基づいて、光電変換素子１０１より出力されるカラー撮像信号を、カラー画像データ、白黒画像データ、階調方向に反転処理された画像データのいずれかに変換処理されて、記憶媒体８２に、例えば情報量の圧縮されたディジタル信号として記憶される。
【００６３】
さらに、集音装置であるマイク８３から出力された音声信号は、信号処理回路２０３で増幅された後、記憶媒体８２に例えば情報量の圧縮されたディジタル信号として記憶される。
【００６４】
制御回路４２は、上記光電変換素子１０１の駆動回路を含み、該駆動回路によって光電変換素子１０１を駆動制御すると共に、信号処理回路２０３の動作、及び記憶媒体８２への画像データ、音声データの書きこみを制御する。
【００６５】
制御回路４２中のＭＰＵ６０１は、本実施形態による操作者への音声告知動作の制御中枢を司る。ＭＰＵ６０１は、絞り制御回路２５０、パルス発生回路３１、スイッチパルス発生回路３４，３５，３６，３７、表示駆動回路２９、受発光素子１００１に接続されると同時に、制御回路４２内に設けられ、情報設定ダイアル８や領域選択スイッチ３８，３９，４０，４１の操作によって選択決定された情報を記憶する記憶部材としてのメモリ６０２と，スピーカ３で操作者に設定された内容を告知するために音声信号を生成する音声合成回路６０３とに接続されている。
【００６６】
ＭＰＵ６０１は、外部表示器９に表示された設定項目の中から、情報設定ダイヤル８や領域選択スイッチ３８，３９，４０，４１の操作によって選択決定された情報を、メモリ６０２に記憶させると同時に、必要に応じて、メモリ６０２に記憶された情報を読み出して、この情報に基づいた制御信号を音声合成回路６０３に供給し、音声合成回路６０３で生成された音声信号によって、スピーカ駆動回路４３を介して、スピーカ３を駆動させるように制御する。
【００６７】
操作者は、このようにして、スピーカ３より発音される音声によって、選択決定された設定内容について把握することができる。
【００６８】
なお、図６における制御回路４２内の接続は、本発明に特に関連する主要な部分のみを抽出して示しており、その他の接続についての図示は省略している。
【００６９】
次に、外部表示器９に表示される各種設定項目の表示内容について説明する。
【００７０】
カメラ本体１の電源スイッチ８０をオン状態にすると、図６に示される電気回路各部の初期化動作の後、ＭＰＵ６０１によりメモリ６０２からデータが読み出され、表示駆動回路２９を介して、外部表示器９に、図１０に示される設定項目の一覧が表示される。
【００７１】
図１０中の１０−０は撮影形態の設定を行う「撮影モード１」の選択ウィンドウ、１０−１は露出関連の機能設定を行う「撮影モード２」の選択ウィンドウ、１０−２は焦点検出装置１５による焦点検出領域設定を行う「測距領域」の選択ウィンドウ、１０−３は撮像画像の処理機能設定を行う「ディジタルエフェクト」の選択ウィンドウ、１０−４は撮影条件の個別設定を選択する「シーンファイル」の選択ウィンドウである。
【００７２】
操作者は、情報設定ダイアル８の回転動作、または領域選択スイッチ３８，３９，４０，４１の操作によって、矢印６０４を所望のウィンドウの横に移動させ、情報設定ダイアル８を上方から押圧操作することによって、選択ウィンドウを決定する。
【００７３】
図１１は、図１０の設定項目一覧において、「撮影モード１」（１０−０）のウィンドウが選択決定された場合の、外部表示器９の表示画面である。
【００７４】
図１１中の１１−０の「リモートコントロール」ウィンドウは、リモートコントロール装置１０００によって撮影を行う際に選択される。
【００７５】
一方、１１−１の「ノーマル」ウィンドウは、リモートコントロール装置１０００を用いない、所謂通常撮影を行う際に選択される。
【００７６】
操作者は、情報設定ダイアル８の回転動作、または領域選択スイッチ３８，３９，４０，４１の操作によって、矢印６０４を所望のウィンドウの横に移動させ、情報設定ダイアル８を上方から押圧操作することによって、選択ウィンドウを決定する。
【００７７】
図１２は、図１０の設定項目一覧において、「撮影モード２」（１０−１）のウィンドウが選択決定された場合の、外部表示器９の表示画面である。
【００７８】
図１２中の１２−０の「マニュアル」ウィンドウは、絞り機構２５１の絞り値、シャッタ１０２のシャッタスピードを操作者がマニュアルで設定するマニュアルモードによって撮影を行う際に選択される。
【００７９】
図１２中の１２−１の「シャッタ優先」ウィンドウは、マニュアル設定されたシャッタ１０２のシャッタスピードを優先して露出調整を行うシャッタ優先モードによって撮影を行う際に選択される。
【００８０】
上記の「マニュアル」「シャッタ優先」の各モードについては、例えば特開平５−２９７４３３号公報などに開示されており、ここではその詳細の説明を省略する。
【００８１】
なお、ここでは簡単のため、上記の２つの露出に関するモードから所望のモードを選択する例について示すが、本発明は特にこれには限定されず、このうちの一部、もしくは他の露出設定に関するモードを含むものであってもよい。
【００８２】
操作者は、情報設定ダイアル８の回転動作、または領域選択スイッチ３８，３９，４０，４１の操作によって、矢印６０４を所望のウィンドウの横に移動させ、情報設定ダイアル８を上方から押圧動作することによって、選択ウィンドウを決定する。
【００８３】
図１３は、図１２の表示画面において、「マニュアル」（１２−０）または「シャッタ優先」（１２−１）のウィンドウが選択決定された場合の、シャッタ１０２のシャッタスピードを選択決定する外部表示器９の表示画面の一例である。
【００８４】
図１３中の「１／６０」（１３−０），「１／１００」（１３−１），「１／２５０」（１３−２），「１／５００」（１３−３），「１／１０００」（１３−４）、「１／２００００」（１３−５）の各ウィンドウは、各々シャッタ１０２の開口時間が１／６０秒、１／１００秒、１／２５０秒、１／５００秒、１／１０００秒、１／２００００秒に設定されることを示している。
【００８５】
なお、設定可能なシャッタスピードは、上記に限定されるものではない。
【００８６】
図１３の表示画面から、情報設定ダイアル８，もしくは領域選択スイッチ３８，３９，４０，４１の操作により、所望のシャッタスピードが選択されると、光電変換素子１０１の電荷蓄積時間は、選択されたシャッタスピードと同じか、これよりも長くなるように、制御回路４２によって連動制御される。
【００８７】
なお、ここでは、上記のシャッタスピードを、シャッタ１０２の開口時間として考えるが、これを光電変換素子１０１の電荷蓄積時間としても同様の機能を実現できる。この場合には、少なくとも光電変換素子１０１の撮像面で撮像による電荷が蓄積している間、シャッタ１０２が開口状態を保持するように制御回路４２によって制御する構成とすればよい。
【００８８】
操作者は、情報設定ダイアル８の回転動作、または領域選択スイッチ３８，３９，４０，４１の操作によって、矢印６０４を所望のウィンドウの横に移動させ、情報設定ダイアル８を上方から押圧動作することによって、選択ウィンドウを決定する。
【００８９】
図１４は、図１０の表示画面において、「測距領域」のウィンドウ（１０−２）が選択決定された場合の、測距領域を選択する外部表示器９の表示画面である。
【００９０】
図１４中の「中央」（１４−０）、「上」（１４−１）、「下」（１４−２）、「右」（１４−３），「左」（１４−４）ウィンドウで選択される各領域は、各々図５における２６ｅ，２６ａ，２６ｃ，２６ｂ，２６ｄの各領域に相当し、操作者によって、上述と同様の手法によりウィンドウの選択決定がなされると、焦点検出装置１５によって、選択決定された領域に基づいた焦点検出が行われる。
【００９１】
操作者は、情報設定ダイアル８の回転動作、または領域選択スイッチ３８，３９，４０，４１の操作によって、矢印６０４を所望のウィンドウの横に移動させ、情報設定ダイアル８を上方から押圧動作することによって、選択ウィンドウを決定する。
【００９２】
図１５は、図１０の表示画面において、「ディジタルエフェクト」のウィンドウ（１０−３）が選択決定された場合の、ディジタルエフェクト機能を選択する外部表示器９の表示画面である。
【００９３】
図１５中の「ノーマル」ウィンドウ（１５−０）で選択されるノーマルモードは、後述する白黒モードやネガモードのような特殊なディジタル処理を信号処理回路２０３で施すことなく、撮像カラー画像データを記憶媒体８２に記憶するモードである。
【００９４】
また、図１５中の「白黒」ウィンドウ（１５−１）で選択される白黒モードは、光電変換素子１０１から出力されるカラー映像信号を、信号処理回路２０３で白黒画像データに変換して、記憶媒体８２に記憶するモードである。
【００９５】
さらに、「ネガ」ウィンドウ（１５−２）で選択されるネガモードは、ネガフィルムを撮影する際などに用いられ、光電変換素子１０１から出力されるカラー映像信号を、信号処理回路２０３で階調方向に反転処理して、通常の（ネガとは反対のポジ状態として）カラー画像データに変換して、記憶媒体８２に記憶するモードである。
【００９６】
操作者は、情報設定ダイアル８の回転動作、または領域選択スイッチ３８，３９，４０，４１の操作によって、矢印６０４を所望のウィンドウの横に移動させ、情報設定ダイアル８を上方から押圧動作することによって、選択ウィンドウを決定する。
【００９７】
図１６は、図１０の表示画面において、「シーンファイル」ウィンドウ（１０−４）が選択決定された場合の、シーンファイルを選択決定する外部表示器９の表示画面である。  シーンファイルは、日常の撮影においてよく使用されるカメラの設定を操作者が予め登録しておいて、簡単な操作によって、カメラのその設定状態への復元を可能とするものである。
【００９８】
本実施形態においては、操作者によって予め設定された各種の設定が３つまでファイルとして記憶可能な構成とされている。
【００９９】
例えば、図１６中の「１」（１６−０）のウィンドウが選択決定されると、制御回路４２は、カメラ本体１を下記の設定とする。
【０１００】
＜シーンファイル１＞
撮影モード１：ノーマル
撮影モード２：マニュアル
シャッタスピード：１／２５０
測距領域    ：中央
ディジタルエフェクト：ノーマル
また、例えば、図１６中の「２」（１６−１）のウィンドウが選択決定されると、制御回路４２は、カメラ本体１を下記の設定とする。
【０１０１】
＜シーンファイル２＞
撮影モード１：ノーマル
撮影モード２：シャッタ優先
シャッタスピード：１／１０００
測距領域    ：下
ディジタルエフェクト：ネガ
さらに、例えば、図１６中の「３」（１６−２）のウィンドウが選択決定されると、制御回路４２は、カメラ本体１を下記の設定とする。
【０１０２】
＜シーンファイル３＞
撮影モード１：リモートコントロール
撮影モード２：シャッタ優先
シャッタスピード：１／５００
測距領域    ：上
ディジタルエフェクト：白黒
上記の各シーンファイルの設定は、各設定項目について撮影者（操作者）が個別に変更可能であり、変更された設定項目は、新たなシーンファイルとして変更登録される。
【０１０３】
操作者は、情報設定ダイアル８の回転動作、または領域選択スイッチ３８，３９，４０，４１の操作によって、矢印６０４を所望のウィンドウの横に移動させ、情報設定ダイアル８を上方から押圧動作することによって、選択ウィンドウを決定する。
【０１０４】
本実施形態においては、上記のシーンファイル設定は、後述するフローチャート（図７，図８，図９参照）で示されるように、撮影モード１の判断の次に優先して判断される。
【０１０５】
以下、図７、図８、図９に示されるフローチャートを用いて、ＭＰＵ６０１の動作について、詳細に説明する。
【０１０６】
図７、図８、図９に示されるフローチャートは、ＭＰＵ６０１によって繰り返し実行される。
【０１０７】
図７のステップＳ０００において、カメラ本体１に設けられた電源スイッチ８０がオンされると、カメラ本体１およびレンズ１２の各部においてイニシャライズ動作が開始される。
【０１０８】
この時点で、カメラ本体１の制御回路４２に含まれるＭＰＵ６０１のイニシャライズが行われ、外部表示器９には図１０に示される設定項目の一覧が表示され、メインミラー１３とサブミラー１４が図２に示される撮影待機状態、スピーカ３が消音状態とされ、レンズ１２のレンズ群１０内の各レンズは各々駆動装置２２によって所定の位置に配置される。
【０１０９】
ステップＳ０００に続く、ステップＳ１００において、ＭＰＵ６０１は、情報設定ダイヤル８、または領域選択スイッチ３８，３８，４０，４１の操作がなされたか否かについて判断する。情報設定ダイヤル８、または領域選択スイッチ３８，３８，４０，４１によって項目選択設定の操作がなされたと判断された場合には、ステップＳ１００に続く、ステップＳ７００に進み、操作がなされていないと判断された場合には、ステップＳ１００の判断を繰り返す。
【０１１０】
ステップＳ７００では、図１０に示される設定項目一覧の中から「撮影モード１」の設定の選択決定がなされたか否かについて判断する。
【０１１１】
ステップＳ７００で、「撮影モード１」の設定の選択決定がなされたと判断されない場合には、ステップＳ２００に進み、「撮影モード１」の設定の選択決定がなされたと判断されると、ステップＳ７０５で、外部表示器９の表示画面を、図１１に示される設定項目の一覧（撮影モード１画面）に変更して、ステップＳ７１０に進む。
【０１１２】
図１１に示される表示画面においては、デフォルトで「ノーマル」ウィンドウが選択されており、メモリ６０２には、撮影モード１のノーマルモードが選択されている旨について予め記憶されている。また、リモートコントロール装置１０００と通信を行う際に用いられる受発光素子１００１の受発光動作は、上記のデフォルト状態で、ＭＰＵ６０１によって不許可とされている。
【０１１３】
ステップＳ７１０では、ＭＰＵ６０１によって、タイマー処理が実行される。ＭＰＵ６０１は、内蔵する時間計測回路によって、時間の計測を開始し、計測された時間が所定時間を越えたか否かについて判断する。ＭＰＵ６０１は、計測された時間が所定の時間を超えたと判断された場合には、ステップＳ７１０に続く、ステップＳ７２０に進み、計測された時間が所定の時間を超えたと判断されない場合には、計測された時間が所定の時間を超えたと判断されるまでステップＳ７１０を繰り返す。
【０１１４】
ステップＳ７２０では、ＭＰＵ６０１によって、図１１に示される表示画面の中から、「リモートコントロール」ウィンドウが選択されたか否かについてが判断される。
【０１１５】
ステップＳ７２０において、「リモートコントロール」ウィンドウが選択されたと判断された場合、ＭＰＵ６０１は、ステップＳ７２１で、メモリ６０２に、予め記憶されているノーマルモードが選択された旨の情報に代えて、リモートコントロールモードが選択された旨についての情報を記憶し、音声合成回路６０３、スピーカ駆動回路３を介して、スピーカ３から、「リモートコントロールモードが選択されました」と発声させ、受発光素子１００１による受発光動作を許可した後、ステップＳ７２３に進む。
【０１１６】
なお、本実施形態においては、上記のリモートコントロールモードが選択されている場合には、図６に示される受発光素子１００１の受発光動作が、ＭＰＵ６０１によって許可され、リモートコントロール装置１０００に設けられた、操作部材１００３によっても、以下の設定動作が可能となる。
【０１１７】
一方、ステップＳ７２０において、「リモートコントロール」ウィンドウが選択されたと判断されない場合には、「ノーマル」ウィンドウが選択されたものと判断して、ＭＰＵ６０１は、ステップＳ７２２で、メモリ６０２に、ノーマルモードが選択された旨についての情報を記憶し、音声合成回路６０３、スピーカ駆動回路３を介して、スピーカ３から、「ノーマルモードが選択されました」と発声させ、受発光素子１００１による受発光動作を不許可とした後、ステップＳ７２３に進む。
【０１１８】
ステップＳ７２３では、外部表示器９の表示画面を、図１０に示される項目選択画面に変更し、ステップＳ２００に進む。
【０１１９】
ステップＳ２００において、ＭＰＵ６０１は、図１０に示される設定項目一覧の中から「シーンファイル」ウィンドウ（１０−４）が選択決定されたか否かについて判断する。
【０１２０】
ステップＳ２００で、「シーンファイル」の設定の選択決定がなされたと判断されない場合には、ステップＳ８００に進み、「シーンファイル」の設定の選択決定がなされたと判断されると、ＭＰＵ６０１は、ステップＳ２５０で、外部表示器９の表示画面を図１４に示される表示画面（シーンファイル画面）に変更し、ステップＳ３００に進む。
【０１２１】
ステップＳ３００で、ＭＰＵ６０１は、ステップＳ７１０と同様のタイマー処理を実行する。ＭＰＵ６０１は、内蔵する時間計測回路によって、時間の計測を開始し、計測された時間が所定時間を越えたか否かについて判断する。ＭＰＵ６０１は、計測された時間が所定の時間を超えたと判断された場合には、ステップＳ３００に続く、ステップＳ４００に進み、計測された時間が所定の時間を超えたと判断されない場合には、計測された時間が所定の時間を超えたと判断されるまでステップＳ３００を繰り返す。
【０１２２】
ステップＳ４００では、「シーンファイル１」ウィンドウが選択決定されたか否かについて判断される。ステップＳ４００で、「シーンファイル１」ウィンドウが選択決定されたと判断された場合、ＭＰＵ６０１は、ステップＳ４１０で、メモリ６０２に、シーンファイル１が選択された旨についての情報を記憶し、音声合成回路６０３、スピーカ駆動回路３を介して、スピーカ３から、「シーンファイル１が選択されました」と発声させた後に、ステップＳ２０００を実行する。
【０１２３】
一方、ステップＳ４００で、「シーンファイル１」ウィンドウが選択決定されたと判断されない場合、ＭＰＵ６０１は、ステップＳ５００を実行する。
【０１２４】
ステップＳ５００では、「シーンファイル２」ウィンドウが選択決定されたか否かについて判断される。ステップＳ５００で、「シーンファイル２」ウィンドウが選択決定されたと判断された場合、ＭＰＵ６０１は、ステップＳ５１０で、メモリ６０２に、シーンファイル２が選択された旨についての情報を記憶し、音声合成回路６０３、スピーカ駆動回路３を介して、スピーカ３から、「シーンファイル２が選択されました」と発声させた後に、ステップＳ２０００を実行する。
【０１２５】
一方、ステップＳ５００で、「シーンファイル２」ウィンドウが選択決定されたと判断されない場合、ＭＰＵ６０１は、ステップＳ６００を実行する。
【０１２６】
ステップＳ６００では、「シーンファイル３」ウィンドウが選択決定されたか否かについて判断される。ステップＳ６００で、「シーンファイル３」ウィンドウが選択決定されたと判断された場合、ＭＰＵ６０１は、ステップＳ６１０で、メモリ６０２に、シーンファイル３が選択された旨についての情報を記憶し、音声合成回路６０３、スピーカ駆動回路３を介して、スピーカ３から、「シーンファイル３が選択されました」と発声させた後に、ステップＳ２０００を実行する。
【０１２７】
一方、ステップＳ６００で、「シーンファイル３」ウィンドウが選択決定されたと判断されない場合、ＭＰＵ６０１は、ステップＳ６５０を実行する。
【０１２８】
上記のステップＳ２００で、図１０に示される設定項目一覧の中から「シーンファイル」ウィンドウ（１０−４）が選択決定され、ステップＳ４００，Ｓ５００，Ｓ６００で、シーンファイル１，シーンファイル２，シーンファイル３のいずれもが選択決定されなかった場合には、ステップＳ６５０で，ＭＰＵ６０１は、シーンファイル１，シーンファイル２，シーンファイル３のいずれもが選択されなかった旨についての情報をメモリ６０２に記憶し、音声合成回路６０３、スピーカ駆動回路３を介して、スピーカ３から、「シーンファイル１，２，３は選択されませんでした」と発声させた後、外部表示器９の表示画面
を図１０に示される項目選択画面に変更して、ステップＳ７００を実行する。
【０１２９】
ステップＳ７００で、「撮影モード１」の設定の選択決定がなされていないと判断されれた場合には、ＭＰＵ６０１は、ステップＳ８００で、図１０に示される設定項目一覧の中から「撮影モード２」の設定の選択決定がなされたか否かについて判断する。
【０１３０】
ステップＳ８００で、「撮影モード２」の設定の選択決定がなされたと判断されない場合には、ステップＳ９００に進み、「撮影モード２」の設定の選択決定がなされたと判断されると、ステップＳ８１０に進む。
【０１３１】
ステップＳ８０５で、ＭＰＵ６０１は、表示駆動回路２９を介して外部表示器９に図１２に示される設定項目の一覧（撮影モード２画面）を表示させる。
【０１３２】
ステップＳ８１０において、ＭＰＵ６０１は、情報設定ダイアル８、または領域選択スイッチ３８，３９，４０，４１の操作によって、「マニュアル」ウィンドウが選択されたか否かについて判断する。
【０１３３】
ステップＳ８１０で、「マニュアル」ウィンドウが選択されたと判断された場合には、ＭＰＵ６０１は、ステップＳ８１００で、メモリ６０２にマニュアルモードが選択された旨について記憶し、音声合成回路６０３，スピーカ駆動回路４３を介して発音装置であるスピーカ３によって「マニュアルモードが選択されました」と操作者に告知の後、ステップＳ８１１に進む。
【０１３４】
一方、ステップＳ８１０で、「マニュアル」ウィンドウが選択されたと判断されない場合には、ＭＰＵ６０１は、ステップＳ８２５を実行する。
【０１３５】
ステップＳ８２５において、ＭＰＵ６０１は、情報設定ダイアル８、または領域選択スイッチ３８，３９，４０，４１の操作によって、「シャッタ優先」ウィンドウが選択されたか否かについて判断する。
【０１３６】
ステップＳ８２５で、「シャッタ優先」ウィンドウが選択されたと判断された場合には、ＭＰＵ６０１は、ステップＳ８２５０で、メモリ６０２にシャッタ優先モードが選択された旨について記憶し、音声合成回路６０３，スピーカ駆動回路４３を介して発音装置であるスピーカ３によって「シャッタ優先モードが選択されました」と操作者に告知の後、ステップＳ８１１に進む。
【０１３７】
一方、ステップＳ８２５で、「シャッタ優先」ウィンドウが選択されたと判断されない場合には、ＭＰＵ６０１は、再度ステップＳ８１０を実行する。
【０１３８】
ステップＳ８１１においては、外部表示器９には、図１３に示されるようなシャッタスピードの選択画面が表示される。
【０１３９】
ステップＳ８１１に続くステップＳ８１２においては、図１３に示されるシャッタスピード選択画面から、情報設定ダイアル８、または領域選択スイッチ３８，３９，４０，４１の操作によって、「１／６０」ウィンドウが選択されたか否かについて判断する。
【０１４０】
ステップＳ８１２において、「１／６０」ウィンドウが選択決定された場合には、ＭＰＵ６０１は、ステップＳ８１３で、メモリ６０２に、シャッタスピードとして１／６０秒が選択された旨について記憶し、音声合成回路６０３，スピーカ駆動回路４３を介して発音装置であるスピーカ３によって「シャッタスピード１／６０秒が選択されました」と操作者に告知の後、シャッタ１０２の撮像時の開口時間を１／６０秒に設定する。
【０１４１】
一方、ステップＳ８１２において、「１／６０」ウィンドウが選択されたと判断されない場合には、ＭＰＵ６０１は、ステップ８１４を実行する。
【０１４２】
ステップＳ８１４においては、図１３に示されるシャッタスピード選択画面から、情報設定ダイアル８、または領域選択スイッチ３８，３９，４０，４１の操作によって、「１／１００」ウィンドウが選択されたか否かについて判断する。
【０１４３】
ステップＳ８１２において、「１／１００」ウィンドウが選択決定された場合には、ＭＰＵ６０１は、ステップＳ８１５で、メモリ６０２に、シャッタスピードとして１／１００秒が選択された旨について記憶し、音声合成回路６０３，スピーカ駆動回路４３を介して発音装置であるスピーカ３によって「シャッタスピード１／１００秒が選択されました」と操作者に告知の後、シャッタ１０２の撮像時の開口時間を１／１００秒に設定する。
【０１４４】
一方、ステップＳ８１４において、「１／１００」ウィンドウが選択されたと判断されない場合には、ＭＰＵ６０１は、ステップ８１６を実行する。
【０１４５】
ステップＳ８１６においては、図１３に示されるシャッタスピード選択画面から、情報設定ダイアル８、または領域選択スイッチ３８，３９，４０，４１の操作によって、「１／２５０」ウィンドウが選択されたか否かについて判断する。
【０１４６】
ステップＳ８１６において、「１／２５０」ウィンドウが選択決定された場合には、ＭＰＵ６０１は、ステップＳ８１７で、メモリ６０２に、シャッタスピードとして１／２５０秒が選択された旨について記憶し、音声合成回路６０３，スピーカ駆動回路４３を介して発音装置であるスピーカ３によって「シャッタスピード１／２５０秒が選択されました」と操作者に告知の後、シャッタ１０２の撮像時の開口時間を１／２５０秒に設定する。
【０１４７】
一方、ステップＳ８１６において、「１／２５０」ウィンドウが選択されたと判断されない場合には、ＭＰＵ６０１は、ステップ８１８を実行する。
【０１４８】
ステップＳ８１８においては、図１３に示されるシャッタスピード選択画面から、情報設定ダイアル８、または領域選択スイッチ３８，３９，４０，４１の操作によって、「１／５００」ウィンドウが選択されたか否かについて判断する。
【０１４９】
ステップＳ８１８において、「１／５００」ウィンドウが選択決定された場合には、ＭＰＵ６０１は、ステップＳ８１９で、メモリ６０２に、シャッタスピードとして１／５００秒が選択された旨について記憶し、音声合成回路６０３，スピーカ駆動回路４３を介して発音装置であるスピーカ３によって「シャッタスピード１／５００秒が選択されました」と操作者に告知の後、シャッタ１０２の撮像時の開口時間を１／５００秒に設定する。
【０１５０】
一方、ステップＳ８１８において、「１／５００」ウィンドウが選択されたと判断されない場合には、ＭＰＵ６０１は、ステップ８２０を実行する。
【０１５１】
ステップＳ８２０においては、図１３に示されるシャッタスピード選択画面から、情報設定ダイアル８、または領域選択スイッチ３８，３９，４０，４１の操作によって、「１／１０００」ウィンドウが選択されたか否かについて判断する。
【０１５２】
ステップＳ８２０において、「１／１０００」ウィンドウが選択決定された場合には、ＭＰＵ６０１は、ステップＳ８２１で、メモリ６０２に、シャッタスピードとして１／１０００秒が選択された旨について記憶し、音声合成回路６０３，スピーカ駆動回路４３を介して発音装置であるスピーカ３によって「シャッタスピード１／１０００秒が選択されました」と操作者に告知の後、シャッタ１０２の撮像時の開口時間を１／１０００秒に設定する。
【０１５３】
一方、ステップＳ８２０において、「１／１０００」ウィンドウが選択されたと判断されない場合には、ＭＰＵ６０１は、ステップ８２２を実行する。
【０１５４】
ステップＳ８２２においては、図１３に示されるシャッタスピード選択画面から、情報設定ダイアル８、または領域選択スイッチ３８，３９，４０，４１の操作によって、「１／２００００」ウィンドウが選択されたか否かについて判断する。
【０１５５】
ステップＳ８２２において、「１／２００００」ウィンドウが選択決定された場合には、ＭＰＵ６０１は、ステップＳ８２３で、メモリ６０２に、シャッタスピードとして１／２００００秒が選択された旨について記憶し、音声合成回路６０３，スピーカ駆動回路４３を介して発音装置であるスピーカ３によって「シャッタスピード１／２００００秒が選択されました」と操作者に告知の後、シャッタ１０２の撮像時の開口時間を１／２００００秒に設定する。
【０１５６】
一方、ステップＳ８２２において、「１／２００００」ウィンドウが選択されたと判断されない場合には、ＭＰＵ６０１は、ステップ８１２を再度実行する。
【０１５７】
なお、本実施形態において、絞り機構２５１の絞り量は、レンズ１２に設けられた絞り環を操作者が操作することによって、もしくは測光装置１９による測光結果と上記のようにして設定されたシャッタスピードとから自動的に設定される。従って、図８に示されるフローチャートにおいては、絞り機構２５１の絞りを設定する項目は特に設けられてはいない。
【０１５８】
しかしながら、操作者が絞り環を操作することによって設定された、絞り機構２５１の絞り値についても、上述のシャッタースピードの設定の場合と同様に、音声によって告知する構成としてもよいのは言うまでもない。
【０１５９】
さらには、絞り機構２５１の絞りの設定を、上述のシャッタスピードの設定の場合と同様に、外部表示器９に表示された絞り設定値の中から、情報設定ダイアル８、または領域選択スイッチ３８，３９，４０，４１の操作によって、所望の絞り値を選択決定し、必要に応じて、音声合成回路６０３，スピーカ駆動回路３を介して、発音手段であるスピーカ３より音声告知する構成としてもよい。
【０１６０】
ＭＰＵ６０１は、ステップＳ８１３，Ｓ８１５，Ｓ８１７，Ｓ８１９、Ｓ８２１，Ｓ８２３を実行の後、ステップＳ８２６で、外部表示器９の表示画面を、図１０に示される項目選択画面に変更表示して、ステップＳ９００を実行する。
【０１６１】
ステップＳ８００で、「撮影モード２」の設定の選択決定がなされていないと判断されれた場合には、ＭＰＵ６０１は、ステップＳ９００で、図１０に示される設定項目一覧の中から「測距領域」の設定の選択決定がなされたか否かについて判断する。
【０１６２】
ステップＳ９００で、「測距領域」の設定の選択決定がなされていないと判断された場合には、ステップＳ１０００に進み、「測距領域」の設定の選択決定がなされたと判断されると、ステップＳ９０５に進む。
【０１６３】
ステップＳ９０５で、ＭＰＵ６０１は、表示駆動回路２９を介して外部表示器９に図１４に示される測距領域設定の一覧（測距領域画面）を表示させる。
【０１６４】
ステップＳ９０５に続くステップＳ９１０において、ＭＰＵ６０１は、さらに、情報設定ダイヤル８、または領域選択スイッチ３８，３９，４０，４１の操作によって、「中央」ウィンドウが選択されたか否かについて判断する。
【０１６５】
ステップＳ９１０で、「中央」ウィンドウが選択されたと判断された場合には、ＭＰＵ６０１は、ステップＳ９１１で、メモリ６０２に測距領域として、図５の２６ｅに示される領域が選択決定された旨について記憶し、音声合成回路６０３，スピーカ駆動回路４３を介して発音装置であるスピーカ３によって「測距領域、中央が選択されました」と操作者に告知した後、ステップＳ１０００を実行する。
【０１６６】
一方、ステップＳ９１０で、「中央」ウィンドウが選択されたと判断されない場合には、ＭＰＵ６０１は、ステップＳ９２０を実行する。
【０１６７】
ステップＳ９２０において、ＭＰＵ６０１は、図１４に示される測距領域一覧の中から、情報設定ダイアル８、または領域選択スイッチ３８，３９，４０，４１の操作によって、「上」ウィンドウが選択されたか否かについて判断する。
【０１６８】
ステップＳ９２０で、「上」ウィンドウが選択されたと判断された場合には、ＭＰＵ６０１は、ステップＳ９２１で、メモリ６０２に測距領域として、図５の２６ａに示される上領域が選択決定された旨について記憶し、音声合成回路６０３，スピーカ駆動回路４３を介して発音装置であるスピーカ３によって「測距領域、上が選択されました」と操作者に告知した後、ステップＳ１０００を実行する。
【０１６９】
一方、ステップＳ９２０で、「上」ウィンドウが選択されたと判断されない場合には、ＭＰＵ６０１は、ステップＳ９３０を実行する。
【０１７０】
ステップＳ９３０において、ＭＰＵ６０１は、図１４に示される測距領域一覧の中から、情報設定ダイアル８、または領域選択スイッチ３８，３９，４０，４１の操作によって、「下」ウィンドウが選択されたか否かについて判断する。
【０１７１】
ステップＳ９３０で、「下」ウィンドウが選択されたと判断された場合には、ＭＰＵ６０１は、ステップＳ９３１で、メモリ６０２に測距領域として、図５の２６ｃに示される下領域が選択決定された旨について記憶し、音声合成回路６０３，スピーカ駆動回路４３を介して発音装置であるスピーカ３によって「測距領域、下が選択されました」と操作者に告知した後、ステップＳ１０００を実行する。
【０１７２】
一方、ステップＳ９３０で、「下」ウィンドウが選択されたと判断されない場合には、ＭＰＵ６０１は、ステップＳ９４０を実行する。
【０１７３】
ステップＳ９４０において、ＭＰＵ６０１は、図１４に示される測距領域一覧の中から、情報設定ダイアル８、または領域選択スイッチ３８，３９，４０，４１の操作によって、「右」ウィンドウが選択されたか否かについて判断する。
【０１７４】
ステップＳ９４０で、「右」ウィンドウが選択されたと判断された場合には、ＭＰＵ６０１は、ステップＳ９４１で、メモリ６０２に測距領域として、図５の２６ｂに示される右領域が選択決定された旨について記憶し、音声合成回路６０３，スピーカ駆動回路４３を介して発音装置であるスピーカ３によって「測距領域、右が選択されました」と操作者に告知した後、ステップＳ１０００を実行する。
【０１７５】
一方、ステップＳ９３０で、「右」ウィンドウが選択されたと判断されない場合には、ＭＰＵ６０１は、ステップＳ９５０を実行する。
【０１７６】
ステップＳ９５０において、ＭＰＵ６０１は、図１４に示される測距領域一覧の中から、情報設定ダイアル８、または領域選択スイッチ３８，３９，４０，４１の操作によって、「左」ウィンドウが選択されたか否かについて判断する。
【０１７７】
ステップＳ９５０で、「左」ウィンドウが選択されたと判断された場合には、ＭＰＵ６０１は、ステップＳ９５１で、メモリ６０２に測距領域として、図５の２６ｄに示される左領域が選択決定された旨について記憶し、音声合成回路６０３，スピーカ駆動回路４３を介して発音装置であるスピーカ３によって「測距領域、左が選択されました」と操作者に告知した後、ステップＳ１０００を実行する。
【０１７８】
一方、ステップＳ９５０で、「左」ウィンドウが選択されたと判断されない場合には、ＭＰＵ６０１は、再びステップＳ９１０を実行する。
【０１７９】
上記のステップＳ９１０〜ステップＳ９５０のいずれかのステップで設定された測距領域に関する情報は、メモリ６０２に記憶されている。ＭＰＵ６０１は、撮影に際して、メモリ６０２に記憶されている測距領域情報をもとに、焦点検出装置１５で焦点検出を行う。
【０１８０】
ＭＰＵ６０１は、ステップＳ９１１，Ｓ９２１，Ｓ９３１，Ｓ９４１、Ｓ９５１を実行の後、ステップＳ９６０で、外部表示器９の表示画面を、図１０に示される項目選択画面に変更表示して、ステップＳ１０００を実行する。
【０１８１】
ステップＳ９００で、「測距領域」の設定の選択決定がなされていないと判断された場合には、ＭＰＵ６０１は、ステップＳ１０００で、図１０に示される設定項目一覧の中から「ディジタルエフェクト」の設定の選択決定がなされたか否かについて判断する。
【０１８２】
ステップＳ１０００で、「ディジタルエフェクト」の設定の選択決定がなされていないと判断された場合には、ステップＳ２０００に進み、「ディジタルエフェクト」の設定の選択決定がなされたと判断されると、ステップＳ１００５に進む。
【０１８３】
ステップＳ１００５において、ＭＰＵ６０１は、表示駆動回路２９を介して、外部表示器９に、図１５に示されるディジタルエフェクト一覧（ディジタルエフェクト画面）を表示させ、続くステップＳ１０１０で、表示された一覧の中から、情報設定ダイアル８、または領域選択スイッチ３８，３９，４０，４１の操作によって、「ノーマル」ウィンドウが選択されたか否かについて判断する。
【０１８４】
ステップＳ１０１０で、「ノーマル」ウィンドウが選択されたと判断された場合には、ＭＰＵ６０１は、ステップＳ１０１１で、メモリ６０２にディジタルエフェクトとして、ノーマルモードが選択決定された旨について記憶し、音声合成回路６０３，スピーカ駆動回路４３を介して発音装置であるスピーカ３によって「ディジタルエフェクト、ノーマルモードが選択されました」と操作者に告知する。
【０１８５】
この場合、ＭＰＵ６０１は、撮影に際して、光電変換素子１０１より得られたカラー撮像信号を、信号処理回路２０３で処理して、カラー画像データとして記憶媒体８２に記憶させる。
【０１８６】
一方、ステップＳ１０１０で、「ノーマル」ウィンドウが選択されたと判断されない場合には、ＭＰＵ６０１は、ステップＳ１０２０を実行する。
【０１８７】
ステップＳ１０２０において、ＭＰＵ６０１は、外部表示器９に表示されているディジタルエフェクト領域一覧の中から、情報設定ダイアル８、または領域選択スイッチ３８，３９，４０，４１の操作によって、「白黒」ウィンドウが選択されたか否かについて判断する。
【０１８８】
ステップＳ１０２０で、「白黒」ウィンドウが選択されたと判断された場合には、ＭＰＵ６０１は、ステップＳ１０２１で、メモリ６０２にディジタルエフェクトとして、白黒モードが選択決定された旨について記憶し、音声合成回路６０３，スピーカ駆動回路４３を介して発音装置であるスピーカ３によって「ディジタルエフェクト、白黒モードが選択されました」と操作者に告知する。
【０１８９】
この場合、ＭＰＵ６０１は、撮影に際して、光電変換素子１０１より得られたカラー撮像信号を、信号処理回路２０３で処理して、白黒画像データとして記憶媒体８２に記憶させる。
【０１９０】
一方、ステップＳ１０２０で、「白黒」ウィンドウが選択されたと判断されない場合には、ＭＰＵ６０１は、ステップＳ１０３０を実行する。
【０１９１】
ステップＳ１０３０において、ＭＰＵ６０１は、外部表示器９に表示されているディジタルエフェクト領域一覧の中から、情報設定ダイアル８、または領域選択スイッチ３８，３９，４０，４１の操作によって、「ネガ」ウィンドウが選択されたか否かについて判断する。
【０１９２】
ステップＳ１０３０で、「ネガ」ウィンドウが選択されたと判断された場合には、ＭＰＵ６０１は、ステップＳ１０３１で、メモリ６０２にディジタルエフェクトとして、ネガモードが選択決定された旨について記憶し、音声合成回路６０３，スピーカ駆動回路４３を介して発音装置であるスピーカ３によって「ディジタルエフェクト、ネガモードが選択されました」と操作者に告知する。
【０１９３】
この場合、ＭＰＵ６０１は、撮影に際して、光電変換素子１０１より得られたカラー撮像信号を、信号処理回路２０３で処理して、階調方向に反転処理されたカラーの画像データとして記憶媒体８２に記憶させる。
【０１９４】
一方、ステップＳ１０３０で、「ネガ」ウィンドウが選択されたと判断されない場合には、ＭＰＵ６０１は、再びステップＳ１０１０を実行する。
【０１９５】
なお、本実施形態においては、メモリ６０２に記憶される各種設定情報は、電源スイッチ８０をオフ状態として、電池２００からの電源の供給が遮断されても、記憶内容が保持される構成とされている。
【０１９６】
従って、電源スイッチ８０をオフ状態としても、前回の撮影時と同じ撮影条件で撮影する項目については、再度設定する必要はない。
【０１９７】
ステップＳ２０００では、ＭＰＵ６０１によって、レリーズ釦２が半押しされたか否かについて判断される。
【０１９８】
ステップＳ２０００で、レリーズ釦２が半押しされたと判断すると、ＭＰＵ６０１は、ステップＳ２０１０で、メモリ６０２に記憶される設定項目と設定条件を全て読み出して、音声合成回路６０３、スピーカ駆動回路４３を介して、発音装置であるスピ−カ３より、設定項目、設定条件を全て音声によって撮影者に告知した上で、各種設定を設定された条件に設定する。
【０１９９】
このように、本実施形態においては、設定された内容を確認するための操作部材としてレリーズ釦２を用いており、撮影に際して、設定された内容について必ず音声告知がなされる構成とされているが、本発明は特にこれに限定されるものではなく、設定された内容を確認するための操作部材として、レリーズ釦２とは別の操作部材を用いる、あるいは設定された内容を確認するための専用の操作部材を設けるものであっても構わない。
【０２００】
一方、ステップＳ２０００で、レリーズ釦２が半押しされたと判断されない場合には、ＭＰＵ６０１は、ステップＳ２０００の判断を繰り返す。
【０２０１】
ステップＳ２０１０に続くステップＳ２０２０では、ＭＰＵ６０１によって、レリーズ釦２が全押しされたか否かについて判断される。
【０２０２】
ステップＳ２０２０で、レリーズ釦２が全押しされたと判断すると、ＭＰＵ６０１は、ステップＳ２０３０で、ステップ２０１０で設定された諸条件に基づいて、撮像・記録動作を行う。光電変換素子１０１で撮像された被写体像は、光電変換素子１０１で映像信号に変換され、信号処理回路２０３で信号処理が施された後、記憶媒体８２に記憶され、ステップＳ３０００で本処理を終了する。
【０２０３】
一方、ステップＳ２０２０で、レリーズ釦２が全押しされたと判断されないと、ＭＰＵ６０１は、ステップＳ２０４０で、ステップＳ３００と同様のタイマー処理を実行する。
【０２０４】
ＭＰＵ６０１は、ステップＳ２０４０で、内蔵する時間計測回路によって、時間の計測を開始し、計測された時間が所定時間を越えたか否かについて判断する。ＭＰＵ６０１は、計測された時間が所定の時間を超えたと判断された場合には、ステップＳ１００に進み、計測された時間が所定の時間を超えたと判断されない場合には、再びステップＳ２０２０を実行する。
【０２０５】
以上のようにして、例えば、撮影モード１においてノーマルモード、撮影モード２において、シャッタ優先モードが選択決定され、シャッタスピードが１／２５０秒、測距領域が中央、ディジタルエフェクトとしてネガが選択決定されている場合には、レリーズ釦２が半押しされると、ステップＳ２０１０で、「撮影モード１はノーマルモード、撮影モード２はシャッタ優先モード、シャッタスピードは１／２５０秒、測距領域は画面中央、ディジタルエフェクトはネガモードに設定されています」との音声告知がなされる。
【０２０６】
ここで、撮影に際して、シーンファイル１〜３のいずれかが選択決定された場合には、上記のステップＳ２０１０でなされる音声告知は、上記例と同様に、その詳細にわたってなされることが望ましい。即ち、例えば、撮影に際して、シ−ンファイル１が選択された場合には、ステップＳ２０１０において、「シーンファイル１が選択されています。撮影モード１はノーマルモード、撮影モード２はシャッタ優先モード、シャッタスピードは１／１０００秒、測距領域は画面下、ディジタルエフェクトはネガモードに設定されています」との音声告知がなされる。
【０２０７】
このような構成とすれば、撮影者は、この音声告知をもとに、選択決定したシーンファイルに誤りがないか否かについて、撮影を前に再度確認することができる。
【０２０８】
このように本実施形態によれば、撮影者は、各設定項目の設定時のみならず、撮影を前に、全ての設定内容について再度確認することができる。
【０２０９】
上記のように、ステップＳ２０１０における撮影に際しての音声告知の省略された項目を、再度音声告知させるためには、設定の際に、情報設定ダイアル８を、例えば１秒の間に１回の押圧によって操作すればよい。
【０２１０】
なお、本実施形態においては、上記に説明したような撮影モード１，撮影モード２，ディジタルエフェクト、測距領域の選択、シーンファイル、シャッタスピード等の設定を例にとって説明したが、本発明は特にこれには限定されることなく、外部表示器９への表示言語、音声告知する際の告知言語、記憶媒体８２への情報記憶の際のデータ圧縮率、ストロボの発光モード、測光モード等その他の様々な設定に対しても同様に適用することができる。
【０２１１】
また、上記の各説明においては、矢印６０４の移動、及び選択ウィンドウの決定が、外部表示器９の表示画面をもとに、情報設定ダイアル８、または領域選択スイッチ３８，３９，４０，４１を操作することによって行われる例について説明したが、これらをリモートコントロール装置１０００に設けられた表示器１００４の表示画面をもとに、操作部材１００３を操作して行い、この内容をカメラ本体１に通信によって伝送して、例えばカメラ本体１の設定内容を変更することが可能な構成とすれば、カメラから離れた場所での設定が可能となり、使い勝手を向上させることができる。
【０２１２】
さらには、カメラ本体１の設定内容について、カメラ本体１との間の通信によって、リモートコントロール装置１０００に伝送し、リモートコントロール装置１０００に設けられたスピーカ１００５によって操作者に音声告知が可能な構成とすれば、より一層使い勝手を向上させることができる。
【０２１３】
さらに、本実施形態において、選択された項目を決定する際に、例えば、情報設定ダイアル８を例えば１秒以内に、上方から、２回押圧操作することによって選択決定された項目については、上記のフローチ−トのステップＳ２０１０の音声告知を省略するような構成とすることもできる。上記２回の押圧操作は、ステップＳ２０１０における音声告知の省略項目としてメモリ６０２に記憶される。
【０２１４】
このような構成とすれば、例えば頻繁に設定の変更を行わない項目については、撮影に際しての音声告知を省略することが可能とされるので、音声告知の時間が短縮され、シャッタチャンスを逃してしまう、といったことが防止される。
【０２１５】
また、上記実施形態においては、外部表示器９をカメラ本体１の上面に配置する構成としたが、各種設定に関する表示を、図２に示されるスクリーン１６に近接して配置される表示部材に表示する構成としてもよい。このような構成とすれば、ファインダ接眼窓６を介して被写体像を確認しながら、各種設定を行うことが可能となる。
【０２１６】
また、上記実施形態においては、音声合成回路６０３、スピーカ駆動回路４３、発音装置であるスピーカ３が何れもカメラ本体１に内蔵されている例について説明したが、本発明は特にこれには限定されず、音声合成回路６０３、スピーカ駆動回路４３、発音装置の何れかが、カメラ本体１とは分離して設けられているものであってもよい。
【０２１７】
さらに、上記実施形態においては、カメラ本体１とリモートコントロール装置１０００との間の通信が、各々の設けられた受発光素子１００１、１００６を介して赤外線によってなされる例について説明したが、赤外線以外の他の光線、超音波、電磁波、もしくはケーブルによってなされるものであっても構わない。この場合、受発光素子１００１，１００６は、適宜各通信媒体における送信、受信の機能を有する送受信手段に置き換えられる。
【０２１８】
以上のように、上記の実施形態によれば、設定選択された情報を、発音装置の発生する音声で確認することができるので、撮影時にも、ファインダ内の被写体像の視認を継続しつつ、設定された情報を確認することができる。
【０２１９】
上記各実施形態においては、特に、撮影された静止画像を電気信号として記憶媒体に記憶する所謂ディジタルスチルカメラを例にとって説明したが、本発明はこれには限定されず、動画像の記憶が可能なカメラ、あるいはフィルムへの被写体像の記録を行うカメラに対しても同様に適用することが可能である。
【０２２０】
また、本発明は、まだその数は少ないものの、近年増加しつつある視覚障害者によるカメラ撮影に道を開くものである。
【０２２１】
視覚障害者は、本発明によって、操作部材を用いて各種設定を行い、選択決定された機能、情報を、設定時のみならず、撮影に際しても、音声によって容易に確認、把握することが可能となる。
【０２２２】
なお、以上は、本発明による実施形態の一例であり、本発明は、上記の実施形態に限定されるものではない。
【０２２３】
請求項で示した機能、または実施の形態が持つ機能が達成できる機能であればどのようなものであってもよいことは言うまでもない。
【図面の簡単な説明】
【図１】本発明の実施形態によるカメラの背面斜視図である。
【図２】本発明の実施形態によるカメラの側面断面図である。
【図３】焦点検出の説明図である。
【図４】カメラの焦点検出装置の説明図である。
【図５】焦点検出領域の説明図である。
【図６】本発明の実施形態によるカメラのブロックダイグラムである。
【図７】本発明の実施形態によるカメラの動作形態を説明するフローチャートである。
【図８】本発明の実施形態によるカメラの動作形態を説明するフローチャートである。
【図９】本発明の実施形態によるカメラの動作形態を説明するフローチャートである。
【図１０】本発明の実施形態によるカメラの表示例である。
【図１１】本発明の実施形態によるカメラの表示例である。
【図１２】本発明の実施形態によるカメラの表示例である。
【図１３】本発明の実施形態によるカメラの表示例である。
【図１４】本発明の実施形態によるカメラの表示例である。
【図１５】本発明の実施形態によるカメラの表示例である。
【図１６】本発明の実施形態によるカメラの表示例である。
【符号の説明】
１・・・カメラ本体
２・・・レリーズ釦
３・・・スピーカ
５・・・接眼レンズ
６・・・ファインダ接眼窓
８・・・情報設定ダイアル
９・・・外部表示器
１０・・・レンズ群
１１・・・裏蓋
１２・・・レンズ
１３・・・メインミラー
１４・・・サブミラー
１５・・・焦点検出装置
１６・・・スクリーン
１７・・・ペンタプリズム
１８・・・プリズム
１９・・・測光装置
２０・・・レンズ駆動装置
２２・・・駆動装置
２４・・・動力伝達装置
２５・・・撮影画面
２６ａ〜２６ｅ・・・焦点検出領域
２７・・・イメージセンサ
２８・・・測光素子
２９・・・表示駆動回路
３１・・・パルス発生回路
３４・・・スイッチパルス発生回路
３５・・・スイッチパルス発生回路
３６・・・スイッチパルス発生回路
３７・・・スイッチパルス発生回路
３８・・・領域選択スイッチ
３９・・・領域選択スイッチ
４０・・・領域選択スイッチ
４１・・・領域選択スイッチ
４２・・・制御回路
８０・・・電源スイッチ
８１・・・記憶媒体挿脱用開口部
８２・・・記憶媒体
８３・・・マイク
１００・・・電気回路
１０１・・・光電変換素子
１０２・・・シャッタ
１４０ａ，１４０ｂ・・・センサ
２００・・・電池
２０１・・・シャッタ駆動回路
２０２・・・ミラー駆動回路
２０３・・・信号処理回路
２５０・・・絞り制御装置
２５１・・・絞り機構
３００・・・フィールドレンズ
３１０ａ，３１０ｂ・・・再結像レンズ
３２０・・・射出瞳
３３０・・・領域
３４０・・・領域
６０１・・・ＭＰＵ
６０２・・・メモリ
６０３・・・音声合成装置
１０００・・・リモートコントロール装置
１００１・・・受発光素子
１００２・・・操作部材
１００３・・・操作部材
１００４・・・表示器
１００５・・・スピーカ
１００６・・・受発光素子
【図１】
2005031317.tif 000003
【図２】
2005031317.tif 000004
【図３】
2005031317.tif 000005
【図４】
2005031317.tif 000006
【図５】
2005031317.tif 000007
【図６】
2005031317.tif 000008
【図７】
2005031317.tif 000009
【図８】
2005031317.tif 000010
【図９】
2005031317.tif 000011
【図１０】
2005031317.tif 000012
【図１１】
2005031317.tif 000013
【図１２】
2005031317.tif 000014
【図１３】
2005031317.tif 000015
【図１４】
2005031317.tif 000016
【図１５】
2005031317.tif 000017
【図１６】
2005031317.tif 000018